【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
患者の血管系の治療のためのデバイスであって、該デバイスは、
近位端と、遠位端と、縦軸とを有する自己拡張型弾力性透過シェルを備え、該自己拡張型弾力性透過シェルは、
複数の細長い弾力性フィラメントであって、織物構造が、該フィラメントの近位端および遠位端において相互に対して固定される、複数の細長い弾力性フィラメントと、
マイクロカテーテル内での送達のために構成される半径方向に拘束された細長い状態であって、薄い織物フィラメントが、該フィラメントの長さに沿って相互に半径方向に隣接して該近位端から該遠位端まで縦方向に延在している、半径方向に拘束された細長い状態と、
該半径方向に拘束された状態に対する、球状の縦方向に短縮された構成を有する拡張した弛緩状態であって、該織物フィラメントは、該近位端と遠位端との間の該縦軸から半径方向に拡張される平滑経路の中に該自己拡張型弾力性透過シェルを形成し、該織物フィラメント間に形成された該シェルの中に複数の開口部を含み、該開口部のうちの最大の開口部は、血栓臨界速度を下回る速度まで該開口部を通る血流速度を遅くするように構成される、拡張した弛緩状態と
をさらに備える、デバイス。
【請求項２】
前記透過シェルは、第１の端部から第２の端部まで延在する、約７０個から約３００個までのフィラメントを備える、請求項１に記載のデバイス。
【請求項３】
前記透過シェルの障害範囲部分の隣接するフィラメント間に形成される、前記最大の開口部は、約０．００５インチから約０．０４インチまでである、請求項１に記載のデバイス。
【請求項４】
前記透過シェルの障害範囲部分の中の隣接するフィラメント間に形成される、前記最大の開口部は、最大で約０．０１６インチである、請求項１に記載のデバイス。
【請求項５】
前記透過シェルは、血栓形成剤、抗血小板剤、抗血栓形成剤、および治癒促進剤から成る群より選択される生物活性剤をさらに備える、請求項１に記載のデバイス。
【請求項６】
前記弛緩した拡張状態にある前記透過シェルの前記近位端と遠位端との間の間隔は、拘束された円筒形状態にある該近位端と遠位端との間の間隔の約２５％から約７５％までである、請求項１に記載のデバイス。
【請求項７】
患者の血管系の治療のためのデバイスであって、該デバイスは、
近位端と、遠位端と、縦軸とを有する自己拡張型弾力性透過シェルを備え、該自己拡張型弾力性透過シェルは、
複数の細長い弾力性フィラメントであって、織物構造が、該フィラメントの近位端および遠位端において相互に対して固定される、複数の細長い弾力性フィラメントと、
マイクロカテーテル内での送達のために構成される半径方向に拘束された細長い状態であって、織物フィラメントは、該フィラメントの長さに沿って、相互に半径方向に隣接して該近位端から該遠位端まで縦方向に延在する、半径方向に拘束された細長い状態と、
主要横径を伴う該半径方向に拘束された状態に対する、球状の縦方向に短縮された構成を伴う拡張した弛緩状態であって、該織物フィラメントは、該近位端と該遠位端との間の該縦軸から半径方向に拡張される平滑経路の中に該自己拡張型弾力性透過シェルを形成し、該織物フィラメント間に形成された該シェルの中に複数の開口部を含む、弛緩状態と
をさらに備え、
拡張状態にある該透過シェルの直径と、大型フィラメントの数および直径と、小型フィラメントの数および直径とは、拡張状態にある該透過シェルが、約０．０１４ｌｂｆから約０．２８４ｌｂｆまでの半径方向剛性を有するように構成され、該半径方向剛性は、式（１．２×１０６ｌｂｆ／Ｄ４）（Ｎｌｄｌ４＋Ｎｓｄｓ４）によって定義され、式中、Ｄは、インチ単位の該拡張状態にある該透過シェルの直径であり、Ｎｌは、該透過シェルの中の該大型フィラメントの数であり、Ｎｓは、該透過シェルの中の該小型フィラメントの数であり、ｄｌは、インチ単位の最大フィラメントの直径であり、ｄｓは、インチ単位の最小フィラメントの直径である、デバイス。
【請求項８】
前記透過シェルは、該透過シェルの前記近位端から前記遠位端まで延在する、約７０個から約３００個までのフィラメントを備える、請求項７に記載のデバイス。
【請求項９】
前記透過シェルの大型フィラメントの数に対する、該透過シェルの小型フィラメントの数の比は、約２対１から約１５対１までであり得る、請求項７に記載のデバイス。
【請求項１０】
前記小型フィラメントと前記大型フィラメントとの間の横寸法または横径の差は、約０．００３５インチ未満である、請求項７に記載のデバイス。
【請求項１１】
前記透過シェルの障害範囲部分の隣接するフィラメント間に形成される最大開口部は、最大で約０．０１６インチである、請求項７に記載のデバイス。
【請求項１２】
前記透過シェルの前記フィラメントは、第１の組のフィラメントと第２の組のフィラメントとをさらに備え、該第１の組の各フィラメントは、大きな横寸法を有し、第２の組のフィラメントは、該第１の組の該フィラメントの横寸法とは異なる小さな横寸法を有する、請求項７に記載のデバイス。
【請求項１３】
患者の血管系の治療のためのデバイスであって、該デバイスは、
近位端と、遠位端と、縦軸とを有する自己拡張型弾力性透過シェルを備え、該自己拡張型弾力性透過シェルは、
複数の細長い弾力性フィラメントであって、織物構造が、該フィラメントの近位端および遠位端において相互に対して固定される、複数の細長い弾力性フィラメントと、
マイクロカテーテル内での送達のために構成される半径方向に拘束された細長い状態であって、薄い織物フィラメントは、該フィラメントの長さに沿って、相互に半径方向に隣接して該近位端から該遠位端まで縦方向に延在する、半径方向に拘束された細長い状態と、
主要横径を伴う半径方向に拘束された状態に対する、球状の縦方向に短縮された構成を伴う拡張した弛緩状態であって、該織物フィラメントは、該近位端と該遠位端との間の該縦軸から半径方向に拡張される平滑経路の中に該自己拡張型弾力性透過シェルを形成し、該織物フィラメント間に形成された該シェルの中に複数の開口部を含む、拡張した弛緩状態と
をさらに備え、
拡張状態にある該透過シェルの直径と、全てのフィラメントの数と、小型フィラメントの直径とは、拡張状態にある該透過シェルの平均開口部サイズが、約０．０１６インチ未満となるように構成され、該平均開口部サイズは、式（１．７／ＮＴ）（πＤ−ＮＴ／２×ｄＷ）によって定義され、式中、Ｄは、インチ単位の該拡張状態にある該透過シェルの直径であり、ＮＴは、該透過シェルの中の該フィラメントの総数であり、ｄＷは、インチ単位の最小フィラメントの直径である、デバイス。
【請求項１４】
前記透過シェルは、該透過シェルの前記近位端から前記遠位端まで延在する、約７０個から約３００個までのフィラメントを備える、請求項１３に記載のデバイス。
【請求項１５】
前記透過シェルの大型フィラメントの数に対する、該透過シェルの前記小型フィラメントの数の比は、約２対１から約１５対１までであり得る、請求項１３に記載のデバイス。
【請求項１６】
前記小型フィラメントと大型フィラメントとの間の横寸法または横径の差は、約０．００３５インチ未満である、請求項１３に記載のデバイス。
【請求項１７】
前記透過シェルの障害範囲部分の中の隣接するフィラメント間に形成される最大開口部は、約０．００５インチから約０．０４インチまでである、請求項１３に記載のデバイス。
【請求項１８】
前記透過シェルの障害範囲部分の中の隣接するフィラメント間に形成される最大開口部は、最大で約０．０１６インチである、請求項１３に記載のデバイス。
【請求項１９】
患者の血管系の治療のためのデバイスであって、該デバイスは、
近位端と、遠位端と、縦軸とを有する自己拡張型弾力性透過シェルを備え、該自己拡張型弾力性透過シェルは、
複数の細長い弾力性フィラメントであって、織物構造が、該フィラメントの近位端および遠位端において相互に対して固定される、複数の細長い弾力性フィラメントと、
マイクロカテーテル内における送達のために構成される半径方向に拘束された細長い状態であって、織物フィラメントが、該フィラメントの長さに沿って、相互に半径方向に隣接して該近位端から該遠位端まで縦方向に延在する、半径方向に拘束された細長い状態と、
主要横径を伴う半径方向に拘束された状態に対する、球状の縦方向に短縮された構成を伴う拡張した弛緩状態であって、該織物フィラメントは、該近位端と該遠位端との間の該縦軸から半径方向に拡張される平滑経路の中に該自己拡張型弾力性透過シェルを形成し、該織物フィラメント間に形成された該シェルの中に複数の開口部を含む、拡張した弛緩状態と
をさらに備え、
拡張状態にある該透過シェルの直径と、大型フィラメントの数および直径と、小型フィラメントの数および直径とは、拘束状態にある該透過シェルが約０．０４インチ未満の外側横径を有するように構成され、該外側横径は、式１．４８（（Ｎｌｄｌ２＋Ｎｓｄｓ２））１／２によって定義され、式中、Ｎｌは、該透過シェルの中の最大フィラメントの数であり、Ｎｓは、該透過シェルの中の最小フィラメントの数であり、ｄｌは、インチ単位の該最大フィラメントの直径であり、ｄｓは、インチ単位の該最小フィラメントの直径である、デバイス。
【請求項２０】
前記透過シェルは、該透過シェルの前記近位端から前記遠位端まで延在する、約７０個から約３００個までのフィラメントを備える、請求項１９に記載のデバイス。
【請求項２１】
前記透過シェルの大型フィラメントの数に対する、該透過シェルの小型フィラメントの数の比は、約２対１から約１５対１までであり得る、請求項１９に記載のデバイス。
【請求項２２】
前記小型フィラメントと前記大型フィラメントとの間の横寸法または横径の差は、約０．００３５インチ未満である、請求項１９に記載のデバイス。
【請求項２３】
前記透過シェルの障害範囲部分の隣接するフィラメント間に形成される前記開口部は、約０．００５インチから約０．０４インチまでである、請求項１９に記載のデバイス。
【請求項２４】
前記透過シェルの障害範囲部分の隣接するフィラメント間に形成される前記開口部は、最大約０．０１６インチである、請求項１９に記載のデバイス。
【請求項２５】
前記細長い弾力性フィラメントの前記遠位端の周りに配置された遠位ハブと、該細長い弾力性フィラメントの前記近位端の周りに配置された近位ハブとをさらに備える、請求項１に記載のデバイス。
【請求項２６】
前記細長い弾力性フィラメントの前記遠位端の周りに配置された遠位ハブと、該細長い弾力性フィラメントの前記近位端の周りに配置された近位ハブとをさらに備える、請求項７に記載のデバイス。
【請求項２７】
前記細長い弾力性フィラメントの前記遠位端の周りに配置された遠位ハブと、該細長い弾力性フィラメントの前記近位端の周りに配置された近位ハブとをさらに備える、請求項１３に記載のデバイス。
【請求項２８】
前記細長い弾力性フィラメントの前記遠位端の周りに配置された遠位ハブと、該細長い弾力性フィラメントの前記近位端の周りに配置された近位ハブとをさらに備える、請求項１９に記載のデバイス。
【手続補正２】
【補正対象書類名】明細書
【補正対象項目名】００２３
【補正方法】変更
【補正の内容】
【００２３】
血管障害を治療する方法の一部の実施形態は、支持構造および複合欠陥範囲構造として役立つ、薄い相互接続フィラメントの自己拡張型弾力性透過シェルを有する、患者の血管系の治療のためのデバイスを提供するステップを含む。透過シェルはまた、第１の端部と、第２の端部と、縦軸と、第１の端部から第２の端部まで延在する薄い相互接続フィラメントを伴う、マイクロカテーテル内への送達のために構成される、拘束された円筒状態とを有する。透過シェルはさらに、裏返された陥凹構成で各端部に逆屈曲を伴う、第１の端部と第２の端部との間にある平滑な弧を形成するフィラメントを伴う拘束状態に対して、球状の軸方向に短縮された構成を伴う拡張した弛緩状態を含む。透過シェルはまた、拡張した弛緩状態にある時に、患者の血管障害の開口部に及ぶように構成される障害範囲部分を有する。デバイスが提供されると、送達システムは、治療される血管障害に隣接する位置まで前進し得る。デバイスは、次いで、透過シェルが自己拡張し、透過シェルの障害範囲部分が、障害の開口部または頚部の少なくとも一部分を被覆するように、血管障害の内側に位置付けられ、配備される。
例えば、本発明は以下の項目を提供する。
（項目１）
患者の血管系の治療のためのデバイスであって、該デバイスは、
近位端と、遠位端と、縦軸とを有する自己拡張型弾力性透過シェルであって、
複数の細長い弾力性フィラメントであって、該フィラメントの近位端および遠位端において相互に対して固定される織物構造を伴う、フィラメントと、
マイクロカテーテル内での送達のために構成される半径方向に拘束された細長い状態であって、それに伴って該薄い織物フィラメントが、該フィラメントの長さに沿って相互に半径方向に隣接して該近位端から該遠位端まで縦方向に延在している、細長い状態と、
該半径方向に拘束された状態に対する、球状の縦方向に短縮された構成を有する拡張した弛緩状態であって、それに伴って該織物フィラメントは、該織物フィラメント間に形成された該シェルの中に複数の開口部を含む、該近位端と遠位端との間の該縦軸から半径方向に拡張される平滑経路の中に該自己拡張型弾力性透過シェルを形成し、該開口部のうちの最大のものは、血栓臨界速度を下回る速度での該開口部を通る血流を可能にするように構成される、弛緩状態と
をさらに備える、自己拡張型弾力性透過シェルを備える、デバイス。
（項目２）
少なくとも上記遠位端が、陥凹構成の逆屈曲を含むことにより、上記フィラメントの上記固定された遠位端は、上記拡張状態にある上記透過シェル構造の名目輪郭内において軸方向に配置される、項目１に記載のデバイス。
（項目３）
上記シェルの近位端が、陥凹構成の逆屈曲をさらに備えることにより、上記フィラメントの上記固定された近位端は、上記拡張状態にある上記名目透過シェル構造内において軸方向に引き抜かれる、項目２に記載のデバイス。
（項目４）
上記透過シェルの上記フィラメントは、溶接、半田付け、接着、およびエポキシ接着から成る群より選択される１つ以上の方法によって、該透過シェルの近位端および遠位端において相互に対して固定される、項目１に記載のデバイス。
（項目５）
上記透過シェルの上記フィラメントの遠位端に固定される、遠位ハブをさらに備える、項目１に記載のデバイス。
（項目６）
上記透過シェルの上記フィラメントの近位端に固定される、近位ハブをさらに備える、項目１に記載のデバイス。
（項目７）
上記近位ハブは、上記フィラメントの近位端を越えて近位に延在する円筒形部材をさらに備え、該円筒形部材は、分離テザーを固定するための空洞を形成する、項目６に記載のデバイス。
（項目８）
上記近位ハブの上記空洞内に固定される遠位端を有する分離テザーをさらに備える、項目７に記載のデバイス。
（項目９）
上記透過シェルの上記フィラメントは、約０．０００５インチから約０．００５インチまでの横寸法を有する、項目１に記載のデバイス。
（項目１０）
上記透過シェルは、第１の端部から第２の端部まで延在する、約７０個から約３００個までのフィラメントを備える、項目１に記載のデバイス。
（項目１１）
上記透過シェルの障害範囲部分の隣接するフィラメント間に形成される、上記最大開口部は、約０．００５インチから約０．０４インチまでである、項目１に記載のデバイス。
（項目１２）
上記透過シェルの障害範囲部分の中の隣接するフィラメント間に形成される、上記最大開口部は、最大で約０．０１６インチである、項目１に記載のデバイス。
（項目１３）
上記透過シェルは、血栓形成剤、抗血小板剤、抗血栓形成剤、および治癒促進剤から成る群より選択される生物活性剤をさらに備える、項目１に記載のデバイス。
（項目１４）
上記弛緩した拡張状態にある上記透過シェルの上記近位端と遠位端との間の間隔は、上記拘束された円筒形状態にある該近位端と遠位端との間の間隔の約２５％から約７５％までである、項目１に記載のデバイス。
（項目１５）
上記透過シェルの上記フィラメントは、超弾性材料を備える、項目１に記載のデバイス。
（項目１６）
上記超弾性材料は、形状記憶金属を備える、項目１５に記載のデバイス。
（項目１７）
上記透過シェルの上記フィラメントは、上記弛緩した拡張状態の構成で熱硬化される形状記憶材料を備える、項目１に記載のデバイス。
（項目１８）
上記形状記憶金属は、ＮｉＴｉ合金を備える、項目１７に記載のデバイス。
（項目１９）
患者の血管系の治療のためのデバイスであって、
近位端と、遠位端と、縦軸とを有する自己拡張型弾力性透過シェルであって、
少なくとも２つの異なる横寸法の大型フィラメントおよび小型フィラメントを含む複数の細長い弾力性フィラメントであって、織物構造が、該フィラメントの近位端および遠位端において相互に対して固定される、フィラメントと、
マイクロカテーテル内での送達のために構成される半径方向に拘束された細長い状態であって、該薄い織物フィラメントは、該フィラメントの長さに沿って、相互に半径方向に隣接して該近位端から該遠位端まで縦方向に延在する、細長い状態と、
該半径方向に拘束された状態に対する、球状の縦方向に短縮された構成を有する拡張した弛緩状態であって、該織物フィラメントは、該織物フィラメント間に形成された該シェルの中に複数の開口部を含む、該近位端と遠位端との間の該縦軸から半径方向に拡張される平滑経路の中に、該自己拡張型弾力性透過シェルを形成する、弛緩状態と
をさらに備える、透過シェルを備える、デバイス。
（項目２０）
少なくとも上記遠位端が、陥凹構成の逆屈曲を有することにより、上記フィラメントの上記固定された遠位端は、上記拡張状態にある上記名目透過シェル構造内において軸方向に配置される、項目１９に記載のデバイス。
（項目２１）
上記透過シェルの上記大型フィラメントは、約０．００１インチから約０．００４インチまでである横寸法または横径を備える、項目１９に記載のデバイス。
（項目２２）
上記透過シェルの上記小型フィラメントは、約０．０００４インチから約０．００１インチまでである、横寸法または横径を備える、項目１９に記載のデバイス。
（項目２３）
上記透過シェルの上記大型フィラメントの数に対する該透過シェルの上記小型フィラメントの数の比は、約２対１から約１５対１までであり得る、項目１９に記載のデバイス。
（項目２４）
上記小型フィラメントと上記大型フィラメントとの間の上記横寸法または横径の差は、約０．００３５インチ未満である、項目１９に記載のデバイス。
（項目２５）
上記透過シェルは、上記第１の端部から上記第２の端部まで延在する、約７０個から約３００個までのフィラメントを備える、項目１９に記載のデバイス。
（項目２６）
上記透過シェルの障害範囲部分の中の隣接するフィラメント間に形成される、上記最大開口部は、約０．００５インチから約０．０４インチまでである、項目１９に記載のデバイス。
（項目２７）
上記透過シェルの障害範囲部分の隣接するフィラメント間に形成される、上記最大開口部は、最大で約０．０１６インチである、項目１９に記載のデバイス。
（項目２８）
上記デバイスの上記障害範囲部分の隣接するフィラメント間に形成される、上記開口部のうちの少なくとも一部は、血栓臨界速度を下回る速度で該開口部を通る血流を可能にするように構成される、項目１９に記載のデバイス。
（項目２９）
弛緩した拡張状態にある上記透過シェルの主要横寸法は、約４ｍｍから約３０ｍｍまでである、項目１９に記載のデバイス。
（項目３０）
患者の血管系の治療のためのデバイスであって、該デバイスは、
近位端と、遠位端と、縦軸とを有する自己拡張型弾力性透過シェルであって、
複数の細長い弾力性フィラメントであって、織物構造が、該フィラメントの近位端および遠位端において相互に対して固定される、フィラメントと、
マイクロカテーテル内での送達のために構成される半径方向に拘束された細長い状態であって、それに伴って該織物フィラメントは、該フィラメントの長さに沿って、相互に半径方向に隣接して該近位端から該遠位端まで縦方向に延在する、細長い状態と、
主要横径を伴う該半径方向に拘束された状態に対する、球状の縦方向に短縮された構成を伴う拡張した弛緩状態であって、それに伴って該織物フィラメントは、該近位端と該遠位端との間の該縦軸から半径方向に拡張される平滑経路の中に該自己拡張型弾力性透過シェルを形成し、該織物フィラメント間に形成された該シェルの中に複数の開口部を含む、弛緩状態と
をさらに備える、透過シェルを備えており、
拡張状態にある該透過シェルの該直径と、大型フィラメントの数および直径と、小型フィラメントの数および直径とは、拡張状態にある該透過シェルが、式（１．２×１０６ｌｂｆ／Ｄ４）（Ｎｌｄｌ４＋Ｎｓｄｓ４）によって定義される、約０．０１４ｌｂｆから約０．２８４ｌｂｆまでの半径方向剛性を有するように構成され、式中、Ｄは、インチ単位の該拡張状態にある該透過シェルの直径であり、Ｎｌは、該透過シェルの中の該大型フィラメントの数であり、Ｎｓは、該透過シェルの中の該小型フィラメントの数であり、ｄｌは、インチ単位の最大フィラメントの直径であり、ｄｓは、インチ単位の最小フィラメントの直径である、デバイス。
（項目３１）
少なくとも上記遠位端が、陥凹構成の逆屈曲を有することにより、上記フィラメントの上記固定された遠位端は、上記拡張状態にある上記名目透過シェル構造内に軸方向に配置される、項目３０に記載のデバイス。
（項目３２）
上記透過シェルは、該透過シェルの上記近位端から上記遠位端まで延在する、約７０個から約３００個までのフィラメントを備える、項目３０に記載のデバイス。
（項目３３）
弛緩した拡張状態にある上記透過シェルの主要横径は、約４ｍｍから約３０ｍｍまでである、項目３０に記載のデバイス。
（項目３４）
上記透過シェルの上記大型フィラメントは、約０．００１インチから約０．００４インチまでである、横寸法または横径を備える、項目３０に記載のデバイス。
（項目３５）
上記透過シェルの上記小型フィラメントは、約０．０００４インチから約０．００１インチまでである、横寸法または横径を備える、項目３０に記載のデバイス。
（項目３６）
上記透過シェルの上記大型フィラメントの数に対する、該透過シェルの上記小型フィラメントの数の比は、約２対１から約１５対１までであり得る、項目３０に記載のデバイス。
（項目３７）
上記小型フィラメントと上記大型フィラメントとの間の横寸法または横径の差は、約０．００３５インチ未満である、項目３０に記載のデバイス。
（項目３８）
上記透過シェルの障害範囲部分の隣接するフィラメント間に形成される、上記最大開口部は、約０．００５インチから約０．０４インチまでである、項目３０に記載のデバイス。
（項目３９）
上記透過シェルの障害範囲部分の隣接するフィラメント間に形成される、上記最大開口部は、最大で約０．０１６インチである、項目３０に記載のデバイス。
（項目４０）
上記透過シェルの上記フィラメントは、異なる横径の大型フィラメントおよび小型フィラメントをさらに備える、項目３０に記載のデバイス。
（項目４１）
患者の血管系の治療のためのデバイスであって、該デバイスは、
近位端と、遠位端と、縦軸とを有する自己拡張型弾力性透過シェルであって、
その近位端および遠位端において相互に対して固定される織物構造を伴う複数の細長い弾力性フィラメントと、
マイクロカテーテル内での送達のために構成される半径方向に拘束された細長い状態であって、それに伴って該薄い織物フィラメントは、該フィラメントの長さに沿って、相互に半径方向に隣接して該近位端から該遠位端まで縦方向に延在する、細長い状態と、
主要横径を伴う該半径方向に拘束された状態に対する、球状の縦方向に短縮された構成を伴う拡張した弛緩状態であって、それに伴って該織物フィラメントは、該近位端と該遠位端との間の該縦軸から半径方向に拡張される平滑経路の中に該自己拡張型弾力性透過シェルを形成し、該織物フィラメント間に形成された該シェルの中に複数の開口部を含む、弛緩状態と
をさらに備える、透過シェルを備えており、
拡張状態にある該透過シェルの直径と、全てのフィラメントの数と、小型フィラメントの直径とは、拡張状態にある該透過シェルの平均開口部サイズが、式（１．７／ＮＴ）（π−ＮＴ／２×ｄＷ）によって定義される該平均開口部サイズによって約０．０１６インチ未満となるように構成され、式中、Ｄは、インチ単位の該拡張状態にある該透過シェルの直径であり、ＮＴは、該透過シェルの中の該フィラメントの総数であり、ｄＷは、インチ単位の最小フィラメントの直径である、デバイス。
（項目４２）
少なくとも上記遠位端は、陥凹構成の逆屈曲を有することにより、上記フィラメントの上記固定された遠位端が、上記拡張状態にある上記名目透過シェル構造内に軸方向に配置される、項目４１に記載のデバイス。
（項目４３）
上記透過シェルは、該透過シェルの上記近位端から上記遠位端まで延在する、約７０個から約３００個までのフィラメントを備える、項目４１に記載のデバイス。
（項目４４）
弛緩した拡張状態にある上記透過シェルの主要横径は、約４ｍｍから約３０ｍｍまでである、項目４１に記載のデバイス。
（項目４５）
上記透過シェルの上記大型フィラメントは、約０．００１インチから約０．００４インチまでである、横寸法または横径を備える、項目４１に記載のデバイス。
（項目４６）
上記透過シェルの上記小型フィラメントは、約０．０００４インチから約０．００１インチまでである、横寸法または横径を備える、項目４１に記載のデバイス。
（項目４７）
上記透過シェルの上記大型フィラメントの数に対する、該透過シェルの上記小型フィラメントの数の比は、約２対１から約１５対１までであり得る、項目４１に記載のデバイス。
（項目４８）
上記小型フィラメントと上記大型フィラメントとの間の横寸法または横径の差は、約０．００３５インチ未満である、項目４１に記載のデバイス。
（項目４９）
上記透過シェルの障害範囲部分の中の隣接するフィラメント間に形成される、上記最大開口部は、約０．００５インチから約０．０４インチまでである、項目４１に記載のデバイス。
（項目５０）
上記透過シェルの障害範囲部分の中の隣接するフィラメント間に形成される、上記最大開口部は、最大で約０．０１６インチである、項目４１に記載のデバイス。
（項目５１）
上記透過シェルの上記フィラメントは、異なる横径の大型フィラメントおよび小型フィラメントをさらに備える、項目４１に記載のデバイス。
（項目５２）
患者の血管系の治療のためのデバイスであって、該デバイスは、
近位端と、遠位端と、縦軸とを有する自己拡張型弾力性透過シェルであって、
複数の細長い弾力性フィラメントであって、織物構造が、該フィラメントの近位端および遠位端において相互に対して固定される、フィラメントと、
マイクロカテーテル内における送達のために構成される半径方向に拘束された細長い状態であって、該織物フィラメントが、該フィラメントの長さに沿って、相互に半径方向に隣接して該近位端から該遠位端まで縦方向に延在する、細長い状態と、
主要横径を伴う該半径方向に拘束された状態に対する、球状の縦方向に短縮された構成を伴う拡張した弛緩状態であって、それに伴って該織物フィラメントは、該近位端と該遠位端との間の該縦軸から半径方向に拡張される平滑経路の中に該自己拡張型弾力性透過シェルを形成し、該織物フィラメント間に形成された該シェルの中に複数の開口部を含む、弛緩状態と
をさらに備える、透過シェルを備えており、
拡張状態にある該透過シェルの直径と、大型フィラメントの数および直径と、小型フィラメントの数および直径とは、拘束状態にある該透過シェルが、式１．４８（（Ｎｌｄｌ２＋Ｎｓｄｓ２））１／２によって定義される、約０．０４インチ未満の外側横径を有するように構成され、Ｎｌは、該透過シェルの中の最大フィラメントの数であり、式中、Ｎｓは、該透過シェルの中の最小フィラメントの数であり、ｄｌは、インチ単位の最大フィラメントの直径であり、ｄｓは、インチ単位の該最小フィラメントの直径である、デバイス。
（項目５３）
少なくとも上記遠位端が、陥凹構成の逆屈曲を有することにより、上記フィラメントの上記固定された遠位端が、上記拡張状態にある上記名目透過シェル構造内において軸方向に配置される、項目５２に記載のデバイス。
（項目５４）
上記透過シェルは、該透過シェルの上記近位端から上記遠位端まで延在する、約７０個から約３００個までのフィラメントを備える、項目５２に記載のデバイス。
（項目５５）
弛緩した拡張状態にある上記透過シェルの主要横径は、約４ｍｍから約３０ｍｍまでである、項目５２に記載のデバイス。
（項目５６）
上記透過シェルの上記大型フィラメントは、約０．００１インチから約０．００４インチまでである、横寸法または横径を備える、項目５２に記載のデバイス。
（項目５７）
上記透過シェルの上記小型フィラメントは、約０．０００４インチから約０．００１インチまでである、横寸法または横径を備える、項目５２に記載のデバイス。
（項目５８）
上記透過シェルの上記大型フィラメントの数に対する、該透過シェルの上記小型フィラメントの数の比は、約２対１から約１５対１までであり得る、項目５２に記載のデバイス。
（項目５９）
上記小型フィラメントと上記大型フィラメントとの間の横寸法または横径の差は、約０．００３５インチ未満である、項目５２に記載のデバイス。
（項目６０）
上記透過シェルの障害範囲部分の隣接するフィラメント間に形成される上記開口部は、約０．００５インチから約０．０４インチまでである、項目５２に記載のデバイス。
（項目６１）
上記透過シェルの障害範囲部分の隣接するフィラメント間に形成される上記開口部は、最大約０．０１６インチである、項目５２に記載のデバイス。
（項目６２）
上記透過シェルの上記フィラメントは、異なる横径の大型フィラメントおよび小型フィラメントをさらに備える、項目５２に記載のデバイス。
（項目６３）
患者の血管障害を治療する方法であって、
ａ）織物フィラメントの自己拡張型弾力性透過シェルを備える、患者の血管系の治療のためのデバイスを提供することであって、該透過シェルは、近位端と、遠位端と、縦軸と、マイクロカテーテル内での送達のために構成される半径方向に拘束された細長い状態であって、該織物フィラメントが相互に半径方向に隣接して該近位端から該遠位端まで縦方向に延在する、細長い状態と、該半径方向に拘束された状態に対する球状の縦方向に短縮された構成を伴う拡張した弛緩状態であって、該織物フィラメントは、該近位端と該遠位端との間の該縦軸から半径方向に拡張される平滑経路の中に該自己拡張型弾力性透過シェルを、該織物フィラメント間に形成された該シェルの中に複数の開口部を形成する、弛緩状態とを有する、ことと、
ｂ）送達システムの遠位端が、治療される血管障害に隣接して、またはその内側に配置されるように、患者の体内に該送達システムを前進させることと、
ｃ）半径方向に拘束された状態にある間に、該送達システム内において該患者の血管系の治療のための該デバイスを軸方向に前進させることであって、細長い送達装置は、患者の血管系の治療のための該デバイスの近位端に解放可能に固定される遠位端を有する、ことと、
ｄ）該デバイスが該送達システムの遠位端から遠位に出現するまで、該デバイスを軸方向に前進させ、該デバイスを配備することであって、それにより、該デバイスの該織物フィラメントが、半径方向に拘束された状態から半径方向に拡張し、そこを通る血液の流れを血栓臨界速度を下回る速度まで減速する該透過シェルの孔径に起因して、該血管障害の開口部または頚部の少なくとも一部分を被覆し、急性的に閉塞する該透過シェルの球状構成へと拡張する、ことと
を含む、方法。
（項目６４）
上記細長い送達装置の上記遠位端から、上記デバイスを解放することをさらに含む、項目６３に記載の方法。
（項目６５）
上記患者の血管系の治療のための上記デバイスは、該デバイスの解放前に、上記細長い送達装置の近位端の操作によって、上記血管障害内に位置付けられる、項目６３に記載の方法。
（項目６６）
上記デバイスの解放前に、上記細長い送達装置の軸方向後退によって、該デバイスを部分的または完全に上記送達システム内に戻るように引くことをさらに含む、項目６５に記載の方法。
（項目６７）
上記デバイスの上記透過シェルの内部空間内に血塊の形成を促進しながら、該透過シェルへの血小板の付着を阻害することをさらに含む、項目６３に記載の方法。
（項目６８）
上記デバイスの配備前または後に、親血管の中にステント支持デバイスを埋め込むことをさらに含み、それにより、該ステント支持デバイスは、上記血管障害の範囲に及ぶ、項目６３に記載の方法。
（項目６９）
上記デバイスの配備後に、上記透過シェルの後方または内側の上記血管障害の中へ、塞栓デバイスまたは材料を送達することをさらに含む、項目６３に記載の方法。
（項目７０）
上記血管障害の狭窄による半径方向の拘束に応じて、上記透過シェルの伸長を付与することをさらに含む、項目６３に記載の方法。
（項目７１）
上記患者の血管系の治療のためのデバイスを選択することをさらに含み、該デバイスは、患者の血管障害の横寸法に対して過大である外側横寸法を伴う拡張状態にある透過シェルを有する、項目６３に記載の方法。
（項目７２）
上記横寸法の過大化の量は、上記血管障害の最大横寸法より少なくとも約１０％大きい、項目７１に記載の方法。
（項目７３）
患者の血管系の血管障害を閉塞する方法であって、
複数のフィラメント部材の織物シェルから形成される拡張可能な多孔性血管閉塞デバイスを提供することであって、該複数のフィラメント部材は、該血管障害のサイズおよび形状に近似する形状を伴う実質的に閉鎖された球状の構造を形成する該部材の少なくとも近位端上で相互に接続される、ことと、
該患者の該血管系の中への送達のために、該デバイスを折り畳むことと、
該患者の体内の切開を通して、該折り畳まれたデバイスを挿入することと、
該デバイスの外面輪郭が該血管障害を実質的に充填するように、該血管障害において該デバイスを解放し、拡張することと、
凝固血液で実質的に被覆される該デバイスによって、急性的に該血管障害を実質的に閉塞することと
を含む、方法。
（項目７４）
上記フィラメント部材は、少なくとも２つの異なる横寸法または横径を有する、項目７３に記載の方法。
（項目７５）
上記閉塞デバイスの上記織物シェルは、フィラメント部材の少なくとも２つの異なるサイズを含み、該フィラメント部材の上記横寸法または横径の差は、約０．００４インチ未満である、項目７４に記載の方法。
（項目７６）
上記血管障害における血液の速度は、上記デバイスの配備後に血栓臨界速度を下回るまで減速され、血栓が、該デバイスの上記シェルの内部容積内に形成する、項目７３に記載の方法。
（項目７７）
上記血管障害の容積を測定し、該血管障害の少なくとも一部分を充填するような容積を伴うデバイスを選択することをさらに含む、項目７３に記載の方法。
（項目７８）
上記選択されたデバイスは、上記血管障害の上記測定された容積とほぼ同じ容積を有する、項目７７に記載の方法。
（項目７９）
上記測定された容積は、切頂容積を生じるように上記血管障害の全体積より小さく、上記選択されたデバイスは、該切頂容積を実質的に充填する、項目７７に記載の方法。
（項目８０）
上記デバイスが弛緩した拡張状態にあるときに、上記血管障害の最大横寸法を測定し、該血管障害の該最大横寸法より少なくとも約１０％大きい寸法を有するデバイスを選択することをさらに含む、項目７３に記載の方法。
（項目８１）
患者の血管系の治療用のデバイスの配備のための送達システムであって、
内側管腔を有するマイクロカテーテルであって、該内側管腔は該マイクロカテーテルの長さに延在する、マイクロカテーテルと、
該マイクロカテーテルの該内側管腔内に配置され、かつ薄いフィラメントの自己拡張型弾力性透過シェルを備える、患者の血管系の治療用のデバイスであって、該透過シェルは、近位端と、遠位端と、縦軸と、マイクロカテーテル内での送達のために構成される半径方向に拘束された細長い状態であって、それに伴って該薄い織物フィラメントは、相互に半径方向に隣接して該近位端から該遠位端まで縦方向に延在する、細長い状態と、該拘束状態に対する球状の縦方向に短縮された構成を伴う拡張した弛緩状態であって、それに伴って該織物フィラメントは、該近位端と該遠位端との間の該縦軸から半径方向に拡張される平滑経路の中に該自己拡張型弾力性透過シェルを形成し、該織物フィラメント間に形成された該シェルの中に複数の開口部を形成する、弛緩状態とを有し、該透過シェルは、該拡張した弛緩状態にあるときに、患者の血管障害の開口部に範囲が及ぶように構成される部分をさらに有する、デバイスと、
該デバイスの近位ハブに解放可能に固定される近位端および遠位端を有する細長い送達装置と
を備える、システム。
（項目８２）
患者の血管系の治療のためのデバイスを製造する方法であって、
編組管状部材を形成する円筒形マンドレルを覆って、複数の細長い弾力性フィラメントを編むことと、
拘束状態に対する、球状の縦方向に短縮された構成を伴う拡張した弛緩状態において、該編組管状部材の該細長いフィラメントを熱硬化させることであって、該織物フィラメントは、裏返された構成で遠位端に逆屈曲を有するシェルを伴う該デバイスの近位端と遠位端との間にある該デバイスの縦軸から半径方向に拡張される平滑経路の中に、自己拡張型弾力性透過シェルを形成し、それにより、該遠位端にあるハブが、該透過シェル構造内に軸方向に引かれ、該シェルの中の複数の開口部が、該織物フィラメント間に形成される、ことと、
該フィラメントの該近位端を一緒に固定することと、
該フィラメントの該遠位端を一緒に固定することと
を含む、方法。
（項目８３）
上記デバイスの上記近位端が上記フィラメントの上記近位端に固定される近位ハブをさらに備え、該近位ハブは、空洞を形成する該フィラメントの該近位端を越えて延在する円筒形部材を含む、項目８２に記載の方法。
（項目８４）
上記近位ハブの上記円筒形部材の上記空洞内に分離テザーを固定することをさらに含む、項目８３に記載の方法。
（項目８５）
上記フィラメントの上記近位端に近位ハブを固定することと、該フィラメントの上記遠位端に遠位ハブを固定することと、該近位および遠位ハブ内に放射線不透過性材料を挿入することとをさらに含む、項目８２に記載の方法。
（項目８６）
円筒形マンドレルを覆って複数の細長いフィラメントを編むことは、少なくとも２つの異なる横寸法を有する大型フィラメントおよび小型フィラメントを編むことを含む、項目８２に記載の方法。
（項目８７）
円筒形マンドレルを覆って複数の大型および小型フィラメントを編むことは、フィラメントを編むことを含み、該大型フィラメントに対する小型フィラメントの数の比は、約２対１から約１５対１までである、項目８６に記載の方法。